(57)【特許請求の範囲】
【請求項１】
長方形状のエスカッションの対向する両辺側から機器本体方向に突出する夫々の腕部の先端部から互いに対向するように突出する爪を機器本体の凹部に突入させてエスカッションを機器本体の前面に取付けるエスカッションの取付構造において、前記凹部を貫通穴とし、前記腕部と爪とで挟む角に面取り部を設け、前記面取り部が前記機器本体の貫通穴の縁に前記腕部の弾力により圧接されるように構成したエスカッションの取付構造。
【請求項２】
前記機器本体の貫通穴を筐体の前面に固定されるサブパネルに設けた請求項１のエスカッションの取付構造。
【請求項３】
前記面取り部が平面に形成された請求項１または２のエスカッションの取付構造。
【請求項４】
前記面取り部が外側に対して凸の曲面に形成された請求項１または２のエスカッションの取付構造。
【請求項５】
前記面取り部が外側に対して凹の曲面に形成された請求項１または２のエスカッションの取付構造。
【請求項６】
前記面取り部の爪側の端から、爪の先端に亘り腕部の突出方向および爪の突出方向に傾斜した傾斜面が形成された請求項１から５のいずれかに記載されたエスカッションの取付構造。
【発明の詳細な説明】
【技術分野】
【０００１】
この発明はエスカッションに係わり、特に、その取付構造に関する。
【背景技術】
【０００２】
従来のエスカッション（飾り枠）の機器本体への取付構造の例を図４および図５により説明する。図４に示す機器本体の筐体１の前面に樹脂製のサブパネル２が固定されている。サブパネル２の上下面には凹部３、３…が形成されている。樹脂製のエスカッション４は長方形に形成され、その上下に対向する両辺側から機器本体方向に突出する夫々の腕部５、５…が設けられ、腕部５、５…の先端部から互いに対向するように爪６、６…が突出している。
【０００３】
爪６、６…が凹部３、３…に嵌合してエスカッション４がサブパネル２に取付けられるがその取付け状態の詳細を図５（ａ）により説明する。サブパネル２の凹部３は底付凹部３ａとなっており、エスカッションに形成された腕部５、５…の先端部に形成された爪６、６…は底付凹部３ａ、３ａ…に入り込みサブパネル２を挟んでいる。
【０００４】
このとき腕部５、５は弾性変形された状態であり、爪６、６…の先端は底付凹部３ａ、３ａ…の底に圧接されている。このように爪６、６…と底付凹部３ａ、３ａ…との嵌合が強くなりすぎないようにして、エスカッション４を取り外しやすいようにしていた。
【０００５】
ところが近年電子機器の前面に配置される可動式モニターを大きくする傾向があり、サブパネルが薄くなり底付凹部を形成しにくくなっている。また、底付凹部を形成できても底付凹部の底にエスカッションの爪の先端が圧接されるとサブパネルの強度が不足して撓むという問題が発生する。
【０００６】
そのため、サブパネル２に図５（ｂ）に示すように、貫通穴３ｂを設けて貫通穴３ｂにエスカッションの爪６を突入させるようになった。このように、エスカッションの爪６とサブパネル２の貫通穴３ｂを係合させると、嵌合が非常に強くなり、一度取付けると取り外し用の治具を用いても外すことが困難となるという問題があった。
【０００７】
実開昭６２−６２４８１号公報に提案された筐体の組立て構造では、エスカッションの一方の側に設けられた爪をローワケースに設けられた貫通穴に係合させ、エスカッションの他方の側をねじでローワケースに締着している。このようなエスカッションの取付構造ではねじで締着しているためにエスカッションの取付け取外しが面倒であるという問題があった。
【特許文献１】実開昭６２−６２４８１号公報、明細書第２頁第１７行〜第３頁第６行、明細書第５頁第１１行〜１４行および第１図、第４図
【発明の開示】
【発明が解決しようとする課題】
【０００８】
この発明は上記した点に鑑みてなされたものであって、その目的とするところは、サブパネル等本体側の取付部が薄い場合にも取付け取外しが容易に行えるエスカッションの取付構造を提供することにある。
【課題を解決するための手段】
【０００９】
この発明のエスカッションの取付構造は、長方形状のエスカッションの対向する両辺側から機器本体方向に突出する夫々の腕部の先端部から互いに対向するように突出する爪を機器本体の凹部に突入させてエスカッションを機器本体の前面に取付けるエスカッションの取付構造において、前記凹部を貫通穴とし、前記腕部と爪とで挟む角に面取り部を設け、前記面取り部が前記機器本体の貫通穴の縁に前記腕部の弾力により圧接されるように構成したものである。
【００１０】
また、前記エスカッションの取付構造において、前記機器本体の貫通穴を筐体の前面に固定されるサブパネルに設けたものである。
【００１１】
また、前記各エスカッションの取付構造において、前記面取り部が平面に形成されたものである。
【００１２】
また、同各エスカッションの取付構造において、前記面取り部が外側に対して凸の曲面に形成されたものである。
【００１３】
また、同各エスカッションの取付構造において、前記面取り部が外側に対して凹の曲面に形成されたものである。
【００１４】
また、前記各エスカッションの取付構造において、前記面取り部の爪側の端から、爪の先端に亘り腕部の突出方向および爪の突出方向に傾斜した傾斜面が形成されたものである。
【発明の効果】
【００１５】
この発明のエスカッションの取付構造によれば、サブパネル等本体側の取付部が薄い場合にもエスカッションの取付け取外しが容易に行える。
【発明を実施するための最良の形態】
【００１６】
以下この発明を実施するための最良の形態を実施例に即して説明する。
【実施例１】
【００１７】
図１（ａ）はこの発明の実施例１であるエスカッションの取付構造を示す部分断面図、図１（ｂ）は図１（ａ）の部分拡大図である。
【００１８】
この例ではエスカッションの腕部５の先端から突出する爪７と腕部５とで挟む角に平面状の面取り部７ａが設けられており、面取り部７ａの端から爪７の先端に亘る平面は腕部５の延びる方向の垂直面に対してθの角度で傾斜している。そして、面取り部７ａがサブパネル２の貫通穴３ｂの縁に圧接される。他の構成は図４および図５（ｂ）に示した従来のものと同様であり、その詳細な説明を省略する。
【００１９】
この例ではエスカッションの腕部５，５の先端から突出する爪７，７でサブパネル２を挟むようにしてエスカッションが取付けられるが、爪７と腕部５とで挟む角に設けられた面取り部７ａがサブパネル２の貫通穴３ｂの縁に圧接されるため、爪７の根元まで貫通穴３ｂに入り込まず、腕部５，５が開いた状態となる。
【００２０】
従って、エスカッションの取付けに必要な嵌合力が得られ、外す場合にはエスカッションを外側に引っ張ることにより爪７が貫通穴３ｂに引掛かることなく容易にエスカッションを機器本体から外すことができる。そして、面取り部７ａの端から爪７の先端に亘り傾斜平面が設けられているため外すときの動作がスムーズとなる。
【実施例２】
【００２１】
図２はこの発明の実施例２であるエスカッションの取付構造に用いられる爪の部分側面図である。この例ではエスカッションの腕部５の先端から突出するように爪８が設けられ、爪８と腕部５とで挟む角に設けられた面取り部８ａがサブパネルの貫通穴の縁に圧接される。そして、面取り部８ａが外側に対して凸の曲面に形成され、傾斜面８ｂは実施例１と同様に傾斜している。他の構成は実施例１と同様であり、詳細な説明を省略する。この例では面取り部８ａと傾斜面８ｂとで挟む角度が小さくなり、エスカッションを外すときにクリック感が得られる。
【実施例３】
【００２２】
図３はこの発明の実施例３であるエスカッションの取付構造に用いられる爪の部分側面図である。この例ではエスカッションの腕部５の先端から突出するように爪９が設けられ、爪９と腕部５とで挟む角に設けられた面取り部９ａがサブパネルの貫通穴の縁に圧接される。そして、面取り部９ａが外側に対して凹の曲面に形成され、傾斜面９ｂは実施例１と同様に傾斜している。他の構成は実施例１と同様であり、詳細な説明を省略する。この例では面取り部９ａと傾斜面９ｂとが滑らかに連なっており、エスカッションを外すときの動きがスムースとなる。
【００２３】
実施例は以上のように構成されているが発明はこれに限られず、例えば、エスカッションをサブパネルに取付けるのではなく、筐体に直接取付ける場合にもこの発明を適用することが可能である。
【図面の簡単な説明】
【００２４】
【図１】図１（ａ）はこの発明の実施例１であるエスカッションの取付構造を示す部分断面図、図１（ｂ）は図１（ａ）の部分拡大図である。
【図２】この発明の実施例２であるエスカッションの取付構造に用いられる爪の部分側面図である。
【図３】この発明の実施例３であるエスカッションの取付構造に用いられる爪の部分側面図である。
【図４】従来のエスカッションの取付構造の例を示す分解斜視図である。
【図５】図５（ａ）は同エスカッションの取付構造を示す部分断面図、図５（ｂ）は同エスカッションの取付構造の変形例を示す部分断面図である。
【符号の説明】
【００２５】
１  筐体
２  サブパネル
３  凹部、３ａ  底付凹部、３ｂ  貫通穴
４  エスカッション
５  腕部
６  爪
７  爪、７ａ  面取り部、７ｂ  傾斜面
８  爪、８ａ  面取り部、８ｂ  傾斜面
９  爪、９ａ  面取り部、９ｂ  傾斜面
【図１】
0004631701.tif 000002
【図２】
0004631701.tif 000003
【図３】
0004631701.tif 000004
【図４】
0004631701.tif 000005
【図５】
0004631701.tif 000006